(57)【要約】【課題】    分散化した蒸気を蒸し機本体内に供給することができる蒸し機を提供する。【解決手段】    蒸し機Ａは、蒸し機本体１と、この蒸し機本体１内の生茶葉に蒸気を供給する蒸気供給管３と、この蒸気供給管３の中途に設けられ、内部に蒸気を分散するための複数の穴４１ａを有する蒸気分散板４１を備えた蒸気分散室４と、この蒸気分散室４で分散された蒸気を蒸し機本体１内の生茶葉に供給するものである。 【選択図】    図３
0003115825.tif 000002
【実用新案登録請求の範囲】
【請求項１】
蒸し機本体と、
この蒸し機本体内の生茶葉に蒸気を供給する蒸気供給管と、
この蒸気供給管の中途に設けられ、内部に蒸気を分散するための複数の穴を有する蒸気分散板を備えた蒸気分散室と、
この蒸気分散室で分散された蒸気を前記蒸し機本体内の生茶葉に供給する
ことを特徴とする蒸し機。
【請求項２】
蒸し機本体の上部に蒸気供給管の蒸気通路より大きい蒸気通路である室を有する蒸気分散室を取り付け、
この蒸気分散室の室を第１の室と第２の室に区分けする蒸気分散板と、
前記第２の室と前記蒸し機本体の一方の側面とを接続し、前記蒸し機本体内の生茶葉に蒸気を供給する第１の蒸気供給管と、
前記第２の室と前記蒸し機本体の他方の側面とを接続し、前記蒸し機本体内の生茶葉に蒸気を供給する第２の蒸気供給管と、
前記蒸し機本体の一方の側面と前記蒸し機本体の他方の側面とは、対向していることを特徴とする請求項１記載の蒸し機。
【請求項３】
蒸気供給管の蒸気通路より大きい蒸気通路である室を有する蒸気分散室は、前記蒸気分散室に流れる蒸気を横断する面積が、前記蒸気供給管の蒸気通路を流れる蒸気を横断する面積より大であることを特徴とする請求項２記載の蒸し機。
【請求項４】
蒸し機本体の上部に前記蒸し機本体内に生茶葉を供給する生茶葉供給通路が設けられ、
前記生茶葉供給通路は、平面視、前記蒸し機本体は長手形状で、該長手形状の一方の端部より他方の端部に片寄って位置し、
蒸気分散室は、平面視、前記生茶葉供給通路と前記他方の端部との間に位置し、
前記蒸気分散室は、天井部が開放し、内部に蒸気通路である室を有し、外形形状が直方体形状の本体と、この本体の天井部を開閉する開閉自在な蓋とを有し、
前記直方体形状の本体は、正面部、右側面部、左側面部、底面部、背面部を備え、
第１の室内への蒸気は、前記正面部に設けられた開口部を介して導かれ、              第２の室内からの蒸気の排出は、前記背面部に設けられた第１の開口部を介して第１の蒸気供給管と、前記背面部に設けられた第２の開口部を介して第２の蒸気供給管とに分岐するものであり、
平面視、前記第１の蒸気供給管と前記第２の蒸気供給管との間に、前記生茶葉供給通路が位置し、
蒸気分散板は、前記正面部及び前記背面部に平行で、前記底面部より立設するように支持され、
前記底面部にドレン排出通路を設けていることを特徴とする請求項２記載の蒸し機。
【考案の詳細な説明】
【技術分野】
【０００１】
本考案は、蒸し機に係り、特に、分散化した蒸気を蒸し機本体内に供給することができる蒸し機に関する。
【背景技術】
【０００２】
従来、生茶葉の酸化酵素の活性を失わせるように、生茶葉を蒸気で蒸す蒸し機がある（例えば、特許文献１参照）。
これは、ボイラで発生した蒸気を蒸気供給管を介して蒸し機本体内に供給するものである。
しかしながら、上述した蒸し機にあっては、ボイラで発生した蒸気を蒸気供給管を介してそのまま蒸し機本体内に供給しているため、蒸気のむらにより、茶の良好な緑色を得ることができないという問題点があった。
【特許文献１】特開平７−３１３７４号公報（図１、図２）
【考案の開示】
【考案が解決しようとする課題】
【０００３】
本考案は、前記した問題点を除去するようにした蒸し機を提供することを目的としている。
【課題を解決するための手段】
【０００４】
前記した目的を達成するための請求項１記載の蒸し機は、蒸し機本体と、この蒸し機本体内の生茶葉に蒸気を供給する蒸気供給管と、この蒸気供給管の中途に設けられ、内部に蒸気を分散するための複数の穴を有する蒸気分散板を備えた蒸気分散室と、この蒸気分散室で分散された蒸気を前記蒸し機本体内の生茶葉に供給するものである。
【０００５】
また、請求項２記載の蒸し機は、請求項１記載の蒸し機において、蒸し機本体の上部に蒸気供給管の蒸気通路より大きい蒸気通路である室を有する蒸気分散室を取り付け、この蒸気分散室の室を第１の室と第２の室に区分けする蒸気分散板と、前記第２の室と前記蒸し機本体の一方の側面とを接続し、前記蒸し機本体内の生茶葉に蒸気を供給する第１の蒸気供給管と、前記第２の室と前記蒸し機本体の他方の側面とを接続し、前記蒸し機本体内の生茶葉に蒸気を供給する第２の蒸気供給管と、前記蒸し機本体の一方の側面と前記蒸し機本体の他方の側面とは、対向しているものである。
【０００６】
また、請求項３記載の蒸し機は、請求項２記載の蒸し機において、蒸気供給管の蒸気通路より大きい蒸気通路である室を有する蒸気分散室は、前記蒸気分散室に流れる蒸気を横断する面積が、前記蒸気供給管の蒸気通路を流れる蒸気を横断する面積より大である。
【０００７】
また、請求項４記載の蒸し機は、請求項３記載の蒸し機において、蒸し機本体の上部に前記蒸し機本体内に生茶葉を供給する生茶葉供給通路が設けられ、前記生茶葉供給通路は、平面視、前記蒸し機本体は長手形状で、該長手形状  の一方の端部より他方の端部に片寄って位置し、蒸気分散室は、平面視、前記生茶葉供給通路と前記他方の端部との間に位置し、前記蒸気分散室は、天井部が開放し、内部に蒸気通路である室を有し、外形形状が直方体形状の本体と、この本体の天井部を開閉する開閉自在な蓋とを有し、前記直方体形状の本体は、正面部、右側面部、左側面部、底面部、背面部を備え、第１の室内への蒸気は、前記正面部に設けられた開口部を介して導かれ、第２の室内からの蒸気の排出は、前記背面部に設けられた第１の開口部を介して第１の蒸気供給管と、前記背面部に設けられた第２の開口部を介して第２の蒸気供給管とに分岐するものであり、平面視、前記第１の蒸気供給管と前記第２の蒸気供給管との間に、前記生茶葉供給通路が位置し、蒸気分散板は、前記正面部及び前記背面部に平行で、前記底面部より立設するように支持され、前記底面部にドレン排出通路を設けているものである。
【考案の効果】
【０００８】
請求項１記載の蒸し機によれば、蒸気分散室で分散された蒸気を蒸し機本体内の生茶葉に供給するため、蒸し機本体内に供給される蒸気にむらが少なくなり、生茶葉を良好に処理して、茶の良好な緑色を得ることができる。
【０００９】
また、請求項２記載の蒸し機によれば、上述した請求項１記載の考案の効果に加え、蒸気供給管の中途に設けられた蒸気分散室は、蒸気供給管の蒸気通路より大きい蒸気通路である室を有するため、蒸気の抵抗とならず、しかも、第２の室は、第１の蒸気供給管と第２の蒸気供給管とにそれぞれ接続されているため、蒸気分散板により分散された第２の室内の蒸気を効率よく分岐させて蒸し機本体内に供給することができ、更に、蒸し機本体の上部に取り付けるため、設置スペースも取らず、新設の蒸し機のみならず既設の蒸し機にも簡易に取り付けることができる。
【００１０】
また、請求項４記載の蒸し機によれば、上述した請求項２記載の考案の効果に加え、蒸気分散室は、平面視、生茶葉供給通路と他方の端部との間に位置し、
平面視、第１の蒸気供給管と第２の蒸気供給管との間に、生茶葉供給通路が位置するため、設置スペースも取らず、蒸気分散室、第１の蒸気供給管及び第２の蒸気供給管を設けることができ、しかも、新設の蒸し機のみならず既設の蒸し機にも簡易に取り付けることができ、更に、蒸気分散室内で凝縮した水はドレン排出通路より、蒸気分散室の外へと導くことができる。
【考案を実施するための最良の形態】
【００１１】
本考案の一実施例の蒸し機を図面を参照して説明する。
図１乃至図６において、Ａは生茶葉を蒸気で蒸す蒸し機で、蒸し機Ａは、蒸し機本体１を有する。
【００１２】
蒸し機本体１は、蒸し機本体１内に生茶葉Ｌを供給する生茶葉供給通路１１、外側に位置する外胴部１２、該外胴部１２の内方に位置する内胴部１３、該内胴部１３の内方に位置し、蒸し機本体１内の生茶葉を排出口１４に向かって、攪拌しながら排出する攪拌羽根１５等を有する。攪拌羽根１５は、回転軸１６に取り付けられている。
内胴部１３は、周知の固定部１３ａと回転部１３ｂ（回転部１３ｂの回転機構は周知のため、説明を省略する。）とを有し、固定部１３ａの上方には、生茶葉供給通路１１が位置し、固定部１３ａには、複数の蒸気導入孔ｈが設けられている。
【００１３】
また、２は蒸気を発生するボイラで、３は蒸し機本体１内の生茶葉に蒸気を供給する蒸気供給管である。この蒸気供給管３の中途に蒸気分散室４が設けられ、蒸気分散室４の内部には、蒸気を分散するための複数の穴（例えば、直径約２mmの円穴）４１ａを有する蒸気分散板４１を備えている。蒸気分散室４は、蒸気供給管３の蒸気通路より大きい蒸気通路である室を有し、蒸し機本体１の上部に取り付けられている。
なお、蒸気供給管３の蒸気通路より大きい「蒸気通路である室を有する蒸気分散室４」は、蒸気分散室４に流れる蒸気を横断する面積が、蒸気供給管３の蒸気通路を流れる蒸気を横断する面積より大となっている。
蒸気分散室４の室は、蒸気分散板４１により第１の室４Ａと第２の室４Ｂに区分けされている。
第２の室４Ｂと蒸し機本体１の一方の側面とは第１の蒸気供給管３１で接続され、第１の蒸気供給管３１により、蒸し機本体１内の生茶葉に蒸気を供給するようにしている。
また、第２の室４Ｂと蒸し機本体１の他方の側面とは第２の蒸気供給管３２で接続され、第２の蒸気供給管３２により、蒸し機本体１内の生茶葉に蒸気を供給するようにしている。
そして、蒸し機本体１の一方の側面と蒸し機本体１の他方の側面とは、図３及び図５に示すように、対向している。
【００１４】
なお、蒸し機本体１の上部に蒸し機本体１内に生茶葉Ｌを供給する生茶葉供給通路１１が設けられ、生茶葉供給通路１１は、図１及び図５に示すように、平面視、蒸し機本体１は長手形状で、該長手形状の一方の端部１Ｂより他方の端部１Ａに片寄って位置し、蒸気分散室４は、平面視、生茶葉供給通路１１と他方の端部１Ａとの間に位置している。
【００１５】
蒸気分散室４は、図３に示すように、天井部４２が開放し、内部に蒸気通路である室を有し、外形形状が直方体形状の本体４０と、この本体４０の天井部４２を開閉する開閉自在な蓋４３とを有し、直方体形状の本体４０は、正面部４０ａ、右側面部４０ｂ、左側面部４０ｃ、底面部４０ｄ、背面部４０ｅを備えている。第１の室４Ａ内への蒸気は、正面部４０ａに設けられた開口部Ａ’、Ａ’を介して導かれ 第２の室４Ｂ内からの蒸気の排出は、背面部４０ｅに設けられた第１の開口部Ｂを介して第１の蒸気供給管３１と、背面部４０ｅに設けられた第２の開口部Ｃを介して第２の蒸気供給管２とに分岐するようになっている。
なお、図５に示すように、平面視、第１の蒸気供給管３１と第２の蒸気供給管３２との間に、生茶葉供給通路１１が位置するようになっている。
また、蒸気分散板４１は、正面部４０ａ及び背面部４０ｅに平行で、底面部４０ｄより立設するように支持部材５、５により支持（例えば、挟持）されている。なお、６は、底面部４０ｄに設けられたドレン排出通路で、ドレン排出通路６には、図示しないバルブが取り付けられ、図示しないバルブによりドレン排出通路６は適宜開閉するようになっている。
【００１６】
従って、生茶葉供給通路１１を介して生茶葉Ｌが蒸し機本体１内に供給され、ボイラ２からの蒸気が蒸気供給管３、蒸気分散室４、第１の蒸気供給管３１又は第２の蒸気供給管３２を介して蒸し機本体１内に供給され、蒸し機本体１内の生茶葉Ｌが蒸されて、攪拌羽根１５により排出口１４に向かって、移動する。
なお、蒸気供給管３からの蒸気は、開口部Ａ’、Ａ’を介して蒸気分散室４の第１の室４Ａ に導かれると共に、蒸気分散板４１に衝突し、穴４１ａを通過  する際、分散され、分散化された蒸気は、第２の室４Ｂの第１の開口部Ｂ’を介して第１の蒸気供給管３１へ、第２の室４Ｂの第２の開口部Ｃ’を介して第２の蒸気供給管３２へと，それぞれ導かれることとなる。
その結果、この蒸し機Ａによれば、蒸気分散室４で分散された蒸気を蒸し機本体１内の生茶葉Ｌに供給するため、蒸し機本体１内に供給される蒸気にむらが少なくなり、生茶葉Ｌを良好に処理して、茶の良好な緑色を得ることができる。  
また、蒸気供給管３の中途に設けられた蒸気分散室４は、蒸気供給管３の蒸気通路より大きい蒸気通路である室を有するため、蒸気の抵抗とならず、しかも、第２の室４Ｂは、第１の蒸気供給管３１と第２の蒸気供給管３２とにそれぞれ接続されているため、蒸気分散板４１により分散された第２の室４Ｂ内の蒸気を効率よく分岐させて蒸し機本体１内に供給することができ、更に、蒸し機本体１の上部に取り付けるため、設置スペースも取らず、新設の蒸し機のみならず既設の蒸し機にも簡易に取り付けることができる。
更に、蒸気分散室４は、平面視、生茶葉供給通路１１と他方の端部１Ａとの間に位置し、平面視、第１の蒸気供給管３１と第２の蒸気供給管３２との間に、生茶葉供給通路１１が位置するため、設置スペースも取らず、蒸気分散室４、第１の蒸気供給管３１及び第２の蒸気供給管３２を設けることができ、しかも、新設の蒸し機のみならず既設の蒸し機にも簡易に取り付けることができ、更に、蒸気分散室４内で凝縮した水はドレン排出通路６より、蒸気分散室４の外へと導くことができる。
【図面の簡単な説明】
【００１７】
【図１】図１は、本考案の一実施例である蒸し機の概略的斜視図である。
【図２】図２は、図１の一部を拡大して示す概略的一部拡大斜視図である。
【図３】図３は、図２の蒸気分散室を分解して示す概略的一部拡大分解斜視図である  。
【図４】図４は、図１の蒸し機の作用を説明するための概略的説明図である。
【図５】図５は、図１の蒸し機の概略的平面図である。
【図６】図６は、図４の一部を拡大して示す概略的説明図である。
【符号の説明】
【００１８】
Ａ    …………蒸し機
１    …………蒸し機本体
３    …………蒸気供給管
４    …………蒸気分散室
４１   …………蒸気分散板
４１ａ  …………穴
【図１】
0003115825.tif 000003
【図２】
0003115825.tif 000004
【図３】
0003115825.tif 000005
【図４】
0003115825.tif 000006
【図５】
0003115825.tif 000007
【図６】
0003115825.tif 000008